【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
システムであって、
バックホールネットワークに接続され、ＲＦカバレッジエリアを有し且つ該カバレッジエリア内の複数のモバイル装置とＲＦ通信するセルラー無線ＲＦ基地局ノードと関連するよう適合され、前記セルラー無線ＲＦ基地局ノードが前記バックホールネットワークに接続される、基地局最適サーバ
を備え、
前記基地局最適サーバは、前記セルラー無線ＲＦ基地局及び該セルラー無線ＲＦ基地局ノードと並列して前記バックホールネットワークに接続され、（ａ）前記セルラー無線ＲＦ基地局ノードと前記バックホールネットワークとの間、（ｂ）前記基地局最適サーバと前記バックホールネットワークとの間、又は（ｃ）前記セルラー無線ＲＦ基地局ノードと前記基地局最適サーバとの間の何れかでデータパケットを流すことを可能にし、
前記システムは更に、
パケットデータネットワークゲートウェイ（ＰＧＷ）と該ＰＧＷの前記パケットデータネットワーク側で通信可能に接続され、（ａ）前記複数のモバイル装置にサービスを提供するためのアプリケーションを実行して、（ｂ）前記モバイル装置の利用特性に基づいて前記複数のモバイル装置におけるアプリケーションの機能を前記セルラー無線ＲＦ基地局ノードの基地局最適サーバに移転するよう適合された地域最適サーバであって、該アプリケーションの機能の移転が、前記複数のモバイル装置のうちの第１のモバイル装置に関する少なくとも１つのモバイル装置ベアラーの前記第１のセルラー無線ＲＦ基地局ノードにおけるリダイレクトベアラーへのリダイレクションを通じて可能にされ、前記リダイレクトベアラーは、前記少なくとも１つのモバイル装置ベアラーの初期終端点の代わりに前記基地局最適サーバで終端し、その結果、データパケットは、前記第１のモバイル装置と前記基地局最適サーバとの間で前記リダイレクトベアラーを経由して伝達される、地域最適サーバと、
前記地域最適サーバ及び前記セルラー無線ＲＦ基地局ノードに通信可能に接続された無線制御施設と、
を備え、
前記無線制御施設は、前記第１のモバイル装置と相互作用して、前記リダイレクトベアラーとして使用されるベアラーを確立するよう適合され、更に、前記セルラー無線ＲＦ基地局ノードと相互作用して、前記少なくとも１つのモバイル装置ベアラーを、前記基地局最適サーバにリダイレクトするよう適合される、システム。
【請求項２】
前記アプリケーションの機能の移転が、前記アプリケーションのノードを提供するサービスの移転である、請求項１に記載のシステム。
【請求項３】
前記データパケットは、前記バックホールネットワーク上でサービングゲートウェイ（ＳＧＷ）を通りその後ＰＧＷを通って前記地域最適サーバに伝達されるのではなく、前記第１のモバイル装置と前記基地局最適サーバとの間で伝達される、請求項１に記載のシステム。
【請求項４】
前記セルラー無線ＲＦ基地局ノードは、前記ＳＧＷ及びその後前記ＰＧＷを用いて前記少なくとも１つのモバイル装置ベアラーを確立するために、前に使用されていた汎用パケット無線サービストンネリングプロトコル（ＧＴＰ）トンネル情報を前記リダイレクトベアラーが保持するよう適合されている、請求項３に記載のシステム。
【請求項５】
ＬＴＥシステムは、前記第１のモバイル装置に対して予めプロビジョニングされたデータを用いて、前記ＬＴＥネットワークがリダイレクトされたベアラーとして使用されることになる前記少なくとも１つのベアラーを確立するようにし、
前記無線制御施設は、（ａ）専用ベアラーがリダイレクトベアラーとして使用するように確立されていることを判定するために前記第１のモバイル装置と相互作用し、及び（ｂ）当該ノードの基地局最適サーバに特定ユーザベアラーをリダイレクトするために前記セルラー無線ＲＦ基地局ノードと相互作用するよう適合されている、請求項１に記載のシステム。
【請求項６】
前記セルラー無線ＲＦ基地局ノードの前記基地局最適サーバは、複数の一意のＩＰアドレス指定された基地局最適サーバを含む、請求項１に記載のシステム。
【請求項７】
前記利用特性は、前記セルラー無線ＲＦ基地局ノードのカバレッジエリアにおいて同一のＰｕｂｌｉｓｈ−Ｓｕｂｓｃｒｉｂｅアプリケーションサービスをリクエストするモバイル装置の回数についての閾値である、請求項１に記載のシステム。
【請求項８】
前記基地局最適サーバ及び前記地域最適サーバの各々は、対応するＰｕｂｌｉｓｈ−Ｓｕｂｓｃｒｉｂｅブローカー通信設備を稼働するように適合され、前記Ｐｕｂｌｉｓｈ−Ｓｕｂｓｃｒｉｂｅブローカー通信設備の各々は、Ｐｕｂｌｉｓｈ−Ｓｕｂｓｃｒｉｂｅブローカーネットワークの一部として接続され、更に、ストリーミングアプリケーションデータをパブリッシュするアプリケーションは、前記Ｐｕｂｌｉｓｈ−Ｓｕｂｓｃｒｉｂｅブローカーネットワークの一部の前記Ｐｕｂｌｉｓｈ−Ｓｕｂｓｃｒｉｂｅブローカー通信設備に接続され、更に、前記第１のモバイル装置は、リダイレクトベアラーを介して前記基地局最適サーバ上の前記Ｐｕｂｌｉｓｈ−Ｓｕｂｓｃｒｉｂｅブローカー通信設備に接続され、ストリーミングアプリケーションデータをパブリッシュする前記アプリケーションのパブリッシュデータパケットを受信するようにサブスクライブし、更に、前記データパケットは、前記Ｐｕｂｌｉｓｈ−Ｓｕｂｓｃｒｉｂｅブローカーネットワークによって、前記データパケットをパブリッシュする前記アプリケーションから前記第１のモバイル装置に配信される、請求項１に記載のシステム。
【請求項９】
前記配信されるデータパケットは、ストリーミングビデオパケット及びストリーミングオーディオパケットのうちの少なくとも１つである、請求項８に記載のシステム。
【請求項１０】
前記セルラー無線ＲＦ基地局ノードの前記基地局最適サーバは、前記セルラー無線ＲＦ基地局ノードと同一場所に配置される、請求項１に記載のシステム。
【請求項１１】
少なくとも１つの無線システムネットワーク要素からネットワーク状態情報を取り出すよう適合された少なくとも１つのサービスプログラムを更に備える、請求項１に記載のシステム。
【請求項１２】
前記ネットワーク状態情報は、前記第１のモバイル装置によって体験されるＲＦ状況に関する情報を含み、前記システムは、前記ネットワーク状態情報を用いて前記アプリケーションの挙動を修正して、エンコーディングレートを変更し、前記ネットワーク状態情報に基づいてビデオ情報を前記第１のモバイル装置に配信するように適合される、請求項１１に記載のシステム。
【請求項１３】
第１及び第２のセルラー無線ＲＦ基地局ノードのそれぞれのＲＦカバレージエリアは重なっており、前記無線制御施設は、前記第１のセルラー無線ＲＦ基地局ノードから前記第２のセルラー無線ＲＦ基地局ノードへの前記第１のモバイル装置のモバイル装置ハンドオーバー中に、（ａ）前記第１のモバイル装置との前記アプリケーションの接続性、及び（ｂ）前記第２のセルラー無線ＲＦ基地局ノードの基地局最適サーバへの前記アプリケーションの機能移転を管理するよう適合されており、
前記システムは、前記モバイル装置が前記第２のセルラー無線ＲＦ基地局ノードと同期する前に、前記第１のモバイル装置が前記第１の無線ＲＦ基地局ノードの基地局最適サーバから切断できるように適合されており、
前記無線制御施設は、前記第１のモバイル装置のＩＭＳＩ、セル識別情報、及びＣ−ＲＮＴＩ値を前記第２のセルラー無線ＲＦ基地局ノードに伝達するために前記第１のモバイル装置と相互作用し、更に、モバイル装置ベアラーを前記第２のセルラー無線ＲＦ基地局の前記基地局最適サーバにリダイレクトするために前記第２のセルラー無線ＲＦ基地局ノードと相互作用し、更に、前記第２のセルラー無線ＲＦ基地局ノードの前記基地局最適サーバにおいて前記モバイル装置がサービスを再開するようにするために前記第１のモバイル装置と相互作用するように適合されている、請求項１に記載のシステム。
【請求項１４】
前記基地局最適サーバ及び前記地域最適サーバの各々は、対応するＰｕｂｌｉｓｈ−Ｓｕｂｓｃｒｉｂｅブローカー通信設備を稼働するように適合され、前記Ｐｕｂｌｉｓｈ−Ｓｕｂｓｃｒｉｂｅブローカー通信設備の各々は、Ｐｕｂｌｉｓｈ−Ｓｕｂｓｃｒｉｂｅブローカーネットワークの一部として接続され、更に、前記複数のモバイル装置にサービスを提供する前記アプリケーションは、前記Ｐｕｂｌｉｓｈ−Ｓｕｂｓｃｒｉｂｅブローカーネットワークの一部のＰｕｂｌｉｓｈ−Ｓｕｂｓｃｒｉｂｅブローカー通信設備に接続され、更に、前記複数のモバイル装置のうちの前記第１のモバイル装置及び前記第２のモバイル装置の各々は、対応するリダイレクトベアラーを介して前記基地局最適サーバ上の前記Ｐｕｂｌｉｓｈ−Ｓｕｂｓｃｒｉｂｅブローカー通信設備に接続され、アプリケーションによってパブリッシュされるデータパケットを受信するようにサブスクライブし、
前記基地局最適サーバは、アプリケーションデータパケットをパブリッシュする前記アプリケーションの代わりに、前記セルラー無線ＲＦ基地局ノードにおいて前記第１及び第２のモバイル装置の各々が有する前記対応するリダイレクトベアラーを介してアプリケーションデータパケットストリームを前記第１及び第２のモバイル装置にルーティングするよう適合され、その結果、前記第１及び第２のモバイル装置が共に、前記基地局最適サーバから前記アプリケーションデータパケットストリームの少なくとも共通部分を受信するようにする、請求項１に記載のシステム。
【請求項１５】
前記基地局最適サーバ及び前記地域最適サーバの各々は、対応するＰｕｂｌｉｓｈ−Ｓｕｂｓｃｒｉｂｅブローカー通信設備を稼働するように適合され、前記Ｐｕｂｌｉｓｈ−Ｓｕｂｓｃｒｉｂｅブローカー通信設備の各々は、Ｐｕｂｌｉｓｈ−Ｓｕｂｓｃｒｉｂｅブローカーネットワークの一部として接続され、更に、前記複数のモバイル装置にサービスを提供する前記アプリケーションは、前記Ｐｕｂｌｉｓｈ−Ｓｕｂｓｃｒｉｂｅブローカーネットワークの一部のＰｕｂｌｉｓｈ−Ｓｕｂｓｃｒｉｂｅブローカー通信設備に接続され、更に、前記複数のモバイル装置のうちの前記第１のモバイル装置及び前記第２のモバイル装置の各々は、対応するリダイレクトベアラーを介して前記基地局最適サーバ上の前記Ｐｕｂｌｉｓｈ−Ｓｕｂｓｃｒｉｂｅブローカー通信設備に接続され、アプリケーションによってパブリッシュされるデータパケットを受信するようにサブスクライブし、
前記基地局最適サーバの前記Ｐｕｂｌｉｓｈ−Ｓｕｂｓｃｒｉｂｅブローカー通信設備は、ストリーミングアプリケーションデータをパブリッシュするアプリケーションの代わりに、前記対応するリダイレクトベアラーを介してアプリケーションデータパケットストリームを前記Ｐｕｂｌｉｓｈ−Ｓｕｂｓｃｒｉｂｅブローカー通信設備から前記第１及び第２のモバイル装置にルーティングするよう適合され、前記第１及び第２のモバイル装置は、リクエスト時に前記アプリケーションデータストリームにサブスクライブしてリクエストし、該リクエスト時は、前記第１及び第２のモバイル装置で異なっている、請求項１に記載のシステム。
【請求項１６】
前記基地局最適サーバから前記第１及び第２のモバイル装置への前記アプリケーションデータパケットストリームの配信は、前記バックホールネットワークの使用を受けることなく、前記アプリケーションデータが前記基地局最適サーバに格納される結果として発生する、請求項１４又は１５に記載のシステム。